(57)【要約】【課題】本発明は、遊技客に圧迫感や違和感を抱かせることがなく、さらに無意識に腰を掛けても座り損ねることがない遊技場用椅子を提供することを目的とした。【解決手段】遊技場用椅子１は、多数の遊技機が連続的に並べられて配置された遊技場で使用されるもので、遊技者が腰掛ける腰掛け部２を有している。腰掛け部２は、無荷重状態では遊技機の真正面に位置し、遊技機の真正面からずれた位置では、左右付勢手段４により遊技機の真正面に位置するように付勢される。腰掛け部２は左右方向の少なくとも一方に外力を加えることによって外力方向に移動可能であり、腰掛け部２の上部側から荷重を受けると、腰掛け部２は、遊技機の左右方向においては遊技機の真正面に固定される。【選択図】図２
2010273708.tif 000002
【特許請求の範囲】
【請求項１】
多数の遊技機が連続的に並べられて配置された遊技場で使用され、各前記遊技機の前に設置されて遊技者が遊技時に腰掛ける遊技場用椅子において、
遊技者が腰掛ける腰掛け部を有し、
当該腰掛け部は、無荷重状態では遊技機の真正面に位置し、遊技機の真正面からずれた位置では、第一付勢手段により当該遊技機の真正面に位置するように付勢され、
前記腰掛け部は左又は右方向の少なくとも一方に外力を加えることによって外力方向に移動可能であり、腰掛け部の上部側から荷重を受けると、前記腰掛け部は、遊技機の左右方向においては遊技機の真正面に固定されることを特徴とすることを特徴とする遊技場用椅子。
【請求項２】
多数の遊技機が連続的に並べられて配置された遊技場で使用され、各前記遊技機の前に設置されて遊技者が遊技時に腰掛ける遊技場用椅子において、
遊技者が腰掛ける腰掛け部と、当該腰掛け部が遊技機に対して左又は右方向の少なくとも一方に移動可能とする左右案内手段と、
当該腰掛け部が遊技機の真正面からずれた場合に当該遊技機の真正面に位置するように付勢する第一付勢手段と、
腰掛け部の上部から荷重を受けると遊技機の左右方向においては遊技機の真正面に固定する固定手段を有していることを特徴とする遊技場用椅子。
【請求項３】
前記左右案内手段と前記第一付勢手段と前記固定手段は、前記腰掛け部に備えられていることを特徴とする請求項２に記載の遊技場用椅子。
【請求項４】
前記腰掛け部は、遊技機に対して前後方向に移動を規制する前後案内手段と、前記第一付勢手段と直交する方向に付勢する第二付勢手段をさらに有し、腰掛け部は、当該第二付勢手段によって一定の方向に付勢され、
前記腰掛け部は前方向又は後方向に外力を加えることによって外力方向に移動し、当該外力を解放すると当該腰掛け部が所定の位置に戻ることを特徴とする請求項１乃至３のいずれかに記載の遊技場用椅子。
【請求項５】
遊技者がもたれることができる背もたれ部を有し、
背もたれ部に加えられた外力が前記腰掛け部に伝導されることを特徴とする請求項１乃至４のいずれかに記載の遊技場用椅子。
【発明の詳細な説明】
【技術分野】
【０００１】
本発明は、遊技場用椅子に関するもので、特には前後左右に可動する遊技場用椅子に関する。
【背景技術】
【０００２】
遊技場では、１人でも多くの遊技者にパチンコ台やスロット台等の遊技機を楽しんでもらえるように、出来る限り多くの遊技機が隙間なく設置されている。即ち、複数の遊技機が連続的に列を成して並べられて、当該列が複数の島を形成して構成されている。また、遊技機同士の間には、パチンコ玉やメダルなどの遊技媒体を貸し出す貸出機が設置されており、遊技機同士の間隔は当該貸出機が有する幅程度の大きさしか確保されていない場合が少なくない。
【０００３】
ところで、遊技場には、各遊技機に向かい合うように１脚ずつの遊技場用の椅子が配置されている。即ち、遊技機毎に配置された遊技場用の椅子同士の間隔も、遊技機同士の間隔と同様に、十分な幅が確保されていないため、遊技者が当該椅子に腰を掛ける際に座席に着きにくいと感じる場合があった。特に、遊技しようとする遊技機に配置された椅子の両隣にすでに遊技者が腰掛けている場合には、椅子同士の間隔がさらに狭く感じられ、当該間隔を通過して椅子に腰を掛ける際に、隣接する椅子に着席している遊技者に迷惑を掛けてしまう問題があった。
【０００４】
そこで、特許文献１には、椅子に腰を掛ける前は遊技機の正面からずれた位置に待機し、遊技者が当該椅子に腰を掛けると、その荷重で遊技機の正面にスライド移動する遊技場用椅子が開示されている。
【先行技術文献】
【特許文献】
【０００５】
【特許文献１】特開２００６−６８０８４号公報
【発明の開示】
【発明が解決しようとする課題】
【０００６】
しかしながら、特許文献１に記載の遊技場用椅子は、腰を掛けた遊技者に隣接した椅子が空席の場合、当該遊技者に圧迫感を抱かせる場合があった。即ち、特許文献１に記載の遊技場用椅子は、付勢手段により常時右又は左方向に付勢されており、遊技者が着席していないときは遊技機に対して左側あるいは右側にずれた位置に配置されており、遊技者が腰を掛けると遊技機の真正面に移動する構成とされている。
【０００７】
従って、椅子に座席した遊技者に隣接する椅子が空席の場合は、当該遊技者に対して空席の椅子が近くに寄っている（遊技機の正面に対してずれている）ため、圧迫感を感じることがあった。さらに、特許文献１に記載の遊技場用椅子は、前記したように、人が腰を掛けていない時には遊技機の正面に位置しないため、無意識に当該椅子に腰を掛けようとすると、座り損ねて背中側から転倒する危険があった。
【０００８】
また、特許文献１に記載の遊技場用椅子は、人が腰を掛けた状態で右又は左方向に移動するため、違和感を感じる場合がある。これは、普段の生活において、椅子に座りながら半自動的に右又は左方向に移動する状況を殆ど経験しないための心理的な戸惑いによるものであると考えられる。
【０００９】
そこで本発明は、遊技者に圧迫感や違和感を抱かせることがなく、さらに無意識に腰を掛けても座り損ねることがない遊技場用椅子を提供することを課題とする。
【課題を解決するための手段】
【００１０】
上記課題を解決するための請求項１に記載の発明は、多数の遊技機が連続的に並べられて配置された遊技場で使用され、各前記遊技機の前に設置されて遊技者が遊技時に腰掛ける遊技場用椅子において、遊技者が腰掛ける腰掛け部を有し、当該腰掛け部は、無荷重状態では遊技機の真正面に位置し、遊技機の真正面からずれた位置では、第一付勢手段により当該遊技機の真正面に位置するように付勢され、前記腰掛け部は左又は右方向の少なくとも一方に外力を加えることによって外力方向に移動可能であり、腰掛け部の上部側から荷重を受けると、前記腰掛け部は、遊技機の左右方向においては遊技機の真正面に固定されることを特徴とすることを特徴とする遊技場用椅子である。
【００１１】
本発明の遊技場用椅子は、腰掛け部が左又は右方向の少なくとも一方に移動可能であるため、遊技者が着席する際、左右のいずれかにずらすことで容易に座席間のスペースが拡がり、体格の大きな人でも座りづらく感じることはない。また、腰掛け部は、遊技機の真正面からずれた位置では第一付勢手段により遊技機の真正面に付勢されるため、遊技者が座席と遊技機との間（着席可能位置）に入り、外力を解放した状態では、当該腰掛け部は遊技機の真正面に位置する。即ち、遊技者は、腰掛け部を左右に移動させて、着席可能位置に移動し、遊技機の真正面で無意識に腰を掛けても、腰掛け部は遊技機の真正面に必ず戻るため、腰掛け部に座り損ねることがない。
また、本発明の遊技場用椅子は、第一付勢手段により遊技機に対して真正面に位置するように付勢されているため、空席の椅子が遊技者の左右のいずれかに隣接している場合であっても、当該遊技者が空席の椅子から圧迫感を受けることがない。さらに、本発明の遊技場用椅子は、遊技者の上からの荷重により腰掛け部の左右方向の移動が阻止されるため、遊技時に当該椅子が左側又は右側に移動して、隣接して遊技する遊技者に迷惑を掛けることがない。
また、本発明の遊技場用椅子は、前記したように、遊技者が腰を掛ける際には、腰掛け部への外力は解放されており、第一付勢手段により遊技機の真正面に位置している。即ち、遊技者は椅子に座りながら左右方向に移動することがないため、先に説明した心理的な戸惑いによる違和感を抱くことがない。
【００１２】
また、請求項２に記載の発明は、多数の遊技機が連続的に並べられて配置された遊技場で使用され、各前記遊技機の前に設置されて遊技者が遊技時に腰掛ける遊技場用椅子において、遊技者が腰掛ける腰掛け部と、当該腰掛け部が遊技機に対して左又は右方向の少なくとも一方に移動可能とする左右案内手段と、当該腰掛け部が遊技機の真正面からずれた場合に当該遊技機の真正面に位置するように付勢する第一付勢手段と、腰掛け部の上部から荷重を受けると遊技機の左右方向においては遊技機の真正面に固定する固定手段を有していることを特徴とする遊技場用椅子である。
【００１３】
本発明の遊技場用椅子は、腰掛け部が左又は右方向の少なくとも一方に移動可能であるため、遊技者が着席する際、左右のいずれかにずらすことで容易に座席間のスペースが拡がり、体格の大きな人でも座りづらく感じることはない。また、腰掛け部が遊技機の真正面からずれた場合であっても遊技機の真正面に位置するように付勢されるため、遊技者が座席と遊技機との間（着席可能位置）に入り外力を解放した状態では、当該腰掛け部は遊技機の真正面に位置する。即ち、遊技者は、腰掛け部を左右に移動させて、着席可能位置に移動し、遊技機の真正面で無意識に腰を掛けても、腰掛け部は遊技機の真正面に必ず戻るため、腰掛け部に座り損ねることがない。
また、本発明の遊技場用椅子は、第一付勢手段により遊技機に対して真正面に位置するように付勢されているため、空席の椅子が遊技者の左右のいずれかに隣接している場合であっても、当該遊技者が圧迫感を受けることがない。さらに、固定手段が、遊技者の荷重により、腰掛け部の左右方向の移動を阻止するため、遊技時に椅子が左側又は右側に寄りすぎて、他の遊技者に迷惑を掛けることがない。
また、本発明の遊技場用椅子は、前記したように、遊技者が腰を掛ける際には、腰掛け部への外力は解放されており、第一付勢手段により遊技機の真正面に位置している。即ち、遊技者は椅子に座りながら左右方向に移動することがないため、先に説明した心理的な戸惑いによる違和感を抱くことがない。
【００１４】
請求項３に記載の発明は、前記左右案内手段と前記第一付勢手段と前記固定手段は、前記腰掛け部に備えられていることを特徴とする請求項２に記載の遊技場用椅子である。
【００１５】
本発明の遊技場用椅子は、腰掛け部に左右案内手段と第一付勢手段と固定手段が備えられているため、すっきりした外見形状にすることができる。また、遊技場の床面等に特別な機構を設ける必要がないため、従来技術の遊技場用椅子と同様の設置方法により遊技場に施工することができる。そのため、本発明の遊技場用椅子は、施工の手間が掛からない。
【００１６】
請求項４に記載の発明は、前記腰掛け部は、遊技機に対して前後方向に移動を規制する前後案内手段と、前記第一付勢手段と直交する方向に付勢する第二付勢手段をさらに有し、腰掛け部は、当該第二付勢手段によって一定の方向に付勢され、前記腰掛け部は前方向又は後方向に外力を加えることによって外力方向に移動し、当該外力を解放すると当該腰掛け部が所定の位置に戻ることを特徴とする請求項１乃至３のいずれかに記載の遊技場用椅子である。
【００１７】
本発明の遊技場用椅子は、遊技機の真正面に対して前後方向にさらに移動可能であるため、遊技者が座席を離れる場合であっても、後ろ方向に移動させて容易に席を離れることが可能である。換言すると、本発明の遊技場用椅子によれば、腰掛け部を左右方向に移動させることなく容易に席を離れることが可能である。
【００１８】
請求項５に記載の発明は、遊技者がもたれることができる背もたれ部を有し、背もたれ部に加えられた外力が前記腰掛け部に伝導されることを特徴とする請求項１乃至４のいずれかに記載の遊技場用椅子である。
【００１９】
本発明の遊技場用椅子は、背もたれ部を有し、背もたれ部に外力を加えることで、腰掛け部を移動させることが可能であるため、遊技者が腰掛け部を左右に移動させる際に、わざわざ腰をかがめる必要がない。
【発明の効果】
【００２０】
本発明の遊技場用椅子では、腰掛け部が遊技機の真正面からずれても付勢手段により遊技機の真正面に付勢されるため、遊技者が外力を加えて腰掛け部を左右方向に移動させても、当該外力が解放されると腰掛け部は遊技機の真正面に戻る。これにより、遊技者が遊技機の真正面の位置で腰掛け部に無意識に腰掛けても座り損ねることがない。さらに、着席した遊技者の隣接する席が空席であっても、空席の椅子は常に遊技機の真正面に位置しているため、当該遊技者は椅子による圧迫感を抱くことがない。
【図面の簡単な説明】
【００２１】
【図１】本発明の第１実施形態に係る遊技場用椅子を示す斜視図である。
【図２】図１の遊技場用椅子を示す断面図で、（ａ）はＡ−Ａ断面、（ｂ）はＢ−Ｂ断面である。
【図３】図２（ａ）の遊技場用椅子におけるベース部材をＡ方向から示す矢視図である。
【図４】左右案内手段の斜視図である。
【図５】固定手段の斜視図で、（ａ）が係合前、（ｂ）が係合過程（調心）、（ｃ）が係合後である。
【図６】遊技場に図１の遊技場用椅子が並べらて設置された状況を示す正面図で、（ａ）は外力を加えていない状態、（ｂ）左方向に外力が加えられた状態である。
【図７】図６（ｂ）に示す遊技場用椅子の断面図である。
【図８】第１実施形態に係る遊技場用椅子の腰掛け部に上方から荷重が加わえられた状態を示す断面図である。
【図９】遊技場に図１の遊技場用椅子が並べらて設置された状況を示す側面図で、（ａ）は外力を加えていない状態、（ｂ）は後ろ方向に外力が加えられた状態である。
【図１０】図９（ｂ）に示す遊技場用椅子の断面図である。
【図１１】本発明の第２実施形態に係る遊技場用椅子を示す断面図である。
【図１２】下部側脚部を示す断面図で、（ａ）は自然状態、（ｂ）は左方向に外力が加えられた状態、（ｃ）は上部から荷重が加わえられた状態である。
【図１３】図１１のＡ方向からみた円柱体の分解斜視図である。
【図１４】図１１のＢ方向からみた円柱体の分解斜視図である。
【図１５】本発明の別の実施形態に係る遊技場用椅子の要部を示す断面図で、（ａ）は固定手段係合前、（ｂ）は固定手段係合後である。
【図１６】図１５の左右移動手段を示す斜視図である。
【発明を実施するための形態】
【００２２】
以下に本発明を実施するための好ましい実施形態について、図面を参照しながら詳細に説明する。以下、特に断りがない限り、上下左右、前後方向の表現に関しては図面を基準とする。
【００２３】
本発明の第１実施形態に係る遊技場用椅子１は、図５に示す様に、パチンコ台やスロット台等の遊技機２８に対向して設置されるもので、各遊技機２８に１脚ずつ配されている。即ち、遊技場用椅子１は、所望の遊技機２８を遊技するために腰掛けるものである。
【００２４】
第１実施形態に係る遊技場用椅子１は、図１に示す様に、腰掛け部２と、背もたれ部６と、腰掛け部２を支持する脚部材７と、左右案内手段３（図２）と、前後案内手段８により構成されている。
【００２５】
腰掛け部２は、平面視した形状が略正方形の筐体の角を面取りした形状で、図２に示す様に、遊技者が着席した際に当該遊技者の尻部（図示しない）が当接するカバー部材１０と、当該カバー部材１０より腰掛け部２の内側に位置するクッション部材１１と、当該クッション部材１１よりさらに内部に備えられたベース部材１２と、当該ベース部材１２の内側に配された左右案内手段３と、当該左右案内手段３を付勢する左右付勢手段（第一付勢手段）４ａ，４ｂとを有している。
【００２６】
ベース部材１２は、金属又は合成樹脂で構成されており、図１に示す様に、平面視した形状が略正方形で、天面板２５と当該天面板２５の４つの辺に対してそれぞれ垂直に形成された４つの側面板２６を有しており、天面板２５と対向する側が開放された筐体である。
【００２７】
ベース部材１２は、図２，３に示す様に、天面板２５の内部側の中心にリング状の溝が形成されたバネ座３３が設けられており、当該バネ座３３によりコイル状の上下付勢手段３４の一方が保持される。バネ座３３には、上下付勢手段３４が容易に外れないように係合する図示しない係合部が設けられている。なお、上下付勢手段３４は、公知の圧縮バネが採用されており、腰掛け部２の上方からの荷重によって伸縮するものである。
また、天面板２５のバネ座３３の外側には、ベース部材１２の下方に突出した凸型ブロック（固定手段３）１５が設けられている。具体的には、図２（ｂ），図５に示す様に、凸型ブロック１５は、一対の面が先端に近接する傾斜面１５ａ，１５ｂを有しており、後述する摺動部材（左右案内手段３）１３に干渉しない位置に配されている。
【００２８】
左右案内手段３は、公知技術の直動案内部材であり、図２，４に示す様に、摺動部材１３とレール部材９を備えたものである。摺動部材１３は、一面が開放された直線状のケース体で当該一面から対向する面に向かって形成された切り欠き状の係合部２０を有し、レール部材９は、摺動部材１３を直線方向に移動を規制する直線状のレール部２１を有している。即ち、摺動部材１３の係合部２０がレール部材９のレール部２１に係合し、摺動部材１３がレール部材９に沿って相対的に移動する。換言すると、レール部材９は、摺動部材１３を直線方向に移動させるガイド部材として機能する。なお、摺動部材１３の両端部は、板状の閉塞部２９，３０により閉塞されているため、レール部材９が摺動部材１３の移動方向に飛び出すことがない。
【００２９】
より具体的には、図２，４に示す様に、レール部材９は、前記レール部２１とフランジ部２４を有している。
フランジ部２４は、方形状で、レール部２１と長手方向の長さ及び幅（摺動部材１３の移動方向と直交する方向の長さ）が同じである。
レール部２１は、断面形状が短辺と長辺を有する略等脚台形で、短辺側にフランジ部２４の一面が接合され、長辺側がフランジ部２４と対向する配置である。フランジ部２４は、後述する上部側脚部１８に設けられたフランジ部３６に載置され、フランジ部３６におけるレール部材９のフランジ部２４からはみ出した部位には、図２（ｂ），図３，図４に示す様に、凹型ブロック２２が設けられている。凹型ブロック２２は、前記した凸型ブロック１５が、嵌り込むもので、一対の面が内部方向に向かって近接する傾斜面２２ａ，２２ｂを有している。即ち、凸型ブロック１５と凹型ブロック２２は、両者が有する傾斜面をスライドすることで調心され、係合される。具体的には、図５（ａ）〜（ｃ）を経て凹型ブロック２２に嵌り込むことで、左右案内手段３による移動を阻止できるようにされている。従って、本実施形態では、凸型ブロック１５と凹型ブロック２２が若干ずれた位置関係であっても係合される。
【００３０】
また、レール部２１の移動方向の両端部には、リング状の溝が形成されたバネ座２７が設けられ、当該バネ座２７により左右付勢手段（第一付勢手段）４の一端が保持される。なお、左右付勢手段４は、公知の圧縮バネが採用されており、腰掛け部２の左右方向からの外力によって伸縮するものである。また、バネ座２７には、左右付勢手段４が容易に外れないように係合する図示しない係合部が設けられている。
【００３１】
一方、摺動部材１３の係合部２０は、所謂ありみぞ形状であり、レール部２１が係合される形状とされている。即ち、係合部２０の断面形状は、レール部２１の断面形状と略同じ短辺と長辺を有する等脚台形とされている。具体的には、係合部２０の断面形状は、摺動部材１３の面のうち開放側が短辺とされ、当該短辺と対向する面が長辺とされている。従って、レール部材９と摺動部材１３が係合した状態では、それぞれの短辺と長辺が略当接する位置関係である。このとき、摺動部材１３は、直線状のレール部２１に沿って直線運動できるだけで、それ以外の方向に加える外力に関して抗することができる。即ち、レール部材９と摺動部材１３を離反方向に引っ張っても、双方の係合状態が解放されることはない。
【００３２】
また、摺動部材１３は、レール部材９よりも移動方向の長さが長い構成とされている。即ち、摺動部材１３とレール部材９を係合した状態では、摺動部材１３とレール部材９との間には移動方向に隙間が形成され、摺動部材１３は当該隙間の範囲内で移動可能とされている。即ち、固定側のレール部材９に対して、移動側の摺動部材１３が前記範囲内で移動可能ということとなる。具体的には、前記隙間は、５ｃｍ〜１０ｃｍ程度とされており、１０ｃｍ程度が好ましいとされている。この隙間により、腰掛け部２の移動可能範囲が決定する。
【００３３】
また、図２に示す様に、摺動部材１３は移動方向両端を閉塞した閉塞部２９，３０を有しており、閉塞部２９は摺動部材１３本体から脱着可能とされている。そのため、レール部材９は、閉塞部２９側からスライドさせて摺動部材１３に係合させることができる。なお、閉塞部２９は、図示しないロック機構を有しており、当該ロック機構を解除しない限り摺動部材１３本体から外れることがない。
また、閉塞部３０は、摺動部材１３本体と一体化されている。
【００３４】
閉塞部材２９，３０には、摺動部材１３の内面側にリング状の溝が形成されたバネ座２７が設けられている。即ち、バネ座２７は、前記したレール部材９のバネ座２７と対向する位置であり、左右付勢手段４はレール部材９と摺動部材１２のバネ座２７，２７に挟まれて保持されている。換言すると、レール部材９は、移動方向両端側から２つの左右付勢手段４同士によって挟持されている。即ち、左右付勢手段４に外力が加えられていない状態においては、レール部材９は、摺動部材１３の略中央に位置している。
【００３５】
ここで、本実施形態では、図１，２に示す様に、摺動部材１３がベース部材１２側（座側）に位置し、摺動部材１３とベース部材１２との間に上下付勢手段３４が配されている。そして、摺動部材１３の下部にレール部材９が係合されるように配されている。即ち、摺動部材１３の天面にリング状の溝が形成されたバネ座３３が設けられ、当該バネ座３３が前記したベース部材１２のバネ座３３と対向する位置に配され、上下付勢手段３４が双方のバネ座３３に挟持される配置とされている。
【００３６】
脚部材７は、腰掛け部２を支持する支持部材であり、図１に示す様に、上部側脚部１８と下部側脚部１９により形成されている。
上部側脚部１８は、図２に示す様に、一方の端部（上部側）にフランジ部３６を備え、他方の端部（下部側）にフランジ部３７を備えた断面形状が略筒状の部材であり、フランジ部３６には左右案内手段３のレール部材９に一体的に接続されており、フランジ部３７には前後案内手段８の摺動部材１６に一体的に接続されている。
【００３７】
ここで、上部側脚部１８と下部側脚部１９は、前後案内手段８を介して繋がっている構成を有しているため、前後案内手段８について説明する。
前後案内手段８は、左右案内手段４と同様、公知技術の直動案内部材であり、図１，２に示す様に、一面が開放された直線状のケース体で当該一面から対向する面に向かって形成された切り欠き状の係合部２０を有した摺動部材１６と、当該摺動部材１６を直線方向に移動を規制する直線状のレール部２１を有したレール部材１７により構成されている。摺動部材１６とレール部材１７の形状については、上記した左右案内手段４と略同じであるため説明を省略する。以下の説明において、説明の重複を避けるために、上記した同じ部材には同じ番号を付する。
なお、前後案内手段８は、摺動部材１６の下方にレール部材１７が係合される配置で、左右案内手段３と同様に摺動部材１６がレール部材１７に対して移動する構成である。さらに、前後案内手段８についても、摺動部材１６とレール部材１７を離反方向に引っ張っても係合状態が解放されることはない。
【００３８】
前後案内手段８では、移動方向一方の端部側にのみ前方付勢手段（第二付勢手段）２３が配されている。当該前方付勢手段２３には、コイル状の圧縮バネが採用されている。
具体的に説明すると、図１，２に示す様に、前方付勢手段２３に外力が加えられていない状態では、摺動部材１６の内部の移動方向一端側がレール部材１７の長手方向一端側に略当接している（自然停止位置）。即ち、摺動部材１６の内部の移動方向他端側とレール部材１７の長手方向他端側には、対向する位置にリング状の溝が形成されたバネ座３５がそれぞれ設けられており、前方付勢手段２３の端部が当該バネ座３５に保持されている。なお、バネ座３５には、図示しない係合部が設けられ、前方付勢手段２３が容易に外れないようにされている。
即ち、上方側脚部１８は、前後案内手段８の摺動部材１６の移動と共に移動し、左右案内手段３の摺動部材１３の移動に対しては相対的に移動する。具体的には、上部側脚部１８は、前後案内手段８によってのみ移動する。
【００３９】
脚部材７の説明に戻ると、下部側脚部１９は、図１に示す様に、一方の端部（上方）にフランジ部４０を有する略円筒状で、当該フランジ部４０は前後案内手段８のレール部材１７のフランジ部２４と接合され、他方の端部（下方側）が遊技場の床面に固定されている。即ち、下部側脚部１９は、前後案内手段８を介して上部側脚部１８と接続されており、前後案内手段８により腰掛け部２が移動する場合には、上部側脚部１８と下部側脚部１９の軸がずれる。
【００４０】
具体的には、図１０に示す様に、前後案内手段８の摺動部材１６に上部側脚部１８が接続され、前後案内手段８のレール部材１７下部側脚部１９が接続されているため、両者が相対的に移動すると、一方の軸に対して他方の軸がずれることとなる。即ち、固定側の下部側脚部１９の軸に対して、移動側の上部側脚部１８の軸がずれる。なお、下部側脚部１９の床面側には、保護カバー３８が配されており、ゴミ等の混入が阻止されている。
【００４１】
カバー部材１０は、腰掛け部２の表面を構成するもので、合皮あるいはビニール等で構成されている。また、カバー部材１０の内部に配されたクッション部材１１は、遊技者に座り心地の良さを与えるもので、ウレタン等を含んだ弾性材で構成されている。
【００４２】
背もたれ部６は、図１，２に示す様に、腰掛け部２に対して垂直に設けられるもので、金属又は樹脂などで構成された略Ｌ字型の基材１４と、遊技者が腰掛けた際に背中が当接するカバー部材１０と、基材１４とカバー部材１０との間に充填されたクッション部材１１で構成されている。
【００４３】
次に上記した構成を有した遊技場用椅子１の組み立て構造について、図面を用いて説明する。
【００４４】
本発明の第１実施形態に係る遊技場用椅子１は、図６に示す様に、遊技機２８の真正面に対向する位置に配されている。そして、遊技場の当該位置の床面に脚部材７の下部側脚部１９の一方の端部（下方側）が固定されて設置されている。そして、図２に示す様に、下部側脚部１９のフランジ部４０（上方側）は、前後案内手段８におけるレール部材１７のフランジ部２４に一体的に接続されている。また、レール部材１７のレール部２１は摺動部材１６の係合部２０が係合しており、レール部２１の長手方向一方の端部側に前方付勢手段２３が配されている。
なお、前後案内手段８により、腰掛け部２が遊技機２８に対して前後方向に移動可能とされているため、図６，９に示す様に、摺動部材１６の移動方向が遊技機２８に対して直交する配置とされている。また、前方付勢手段２３は、圧縮バネであり圧縮方向に外力が加わったときに付勢力が発揮されるため、レール部材１７よりも遊技機２８側に配されている。
【００４５】
一方、脚部材７の上部側脚部１８のフランジ部３７（下方側）は、前後案内手段８の摺動部材１６に一体的に接続されている。ここで、前記したように、前後案内手段８の摺動部材１６が自然停止位置にあるとき、摺動部材１６の移動方向一方の端部はレール部材１７の長手方向一方の端部側に位置している。即ち、前後案内手段８の摺動部材１６が自然停止位置にあるとき、上部側脚部１８と下部側脚部１９は、同軸上に存在するように配置されている。
【００４６】
上部側脚部１８のフランジ部３６（上方側）は、左右案内手段３のレール部材９のフランジ部２４に一体的に接続されている。レール部材９は、左右案内手段３の摺動部材１３の係合部２０に係合されており、さらにレール部材９の両端部には左右付勢手段４が配されている。即ち、レール部材９は、左右付勢手段４によって左右の移動方向が付勢されており、左右付勢手段４に外力が加えられていないときが釣り合いの位置である。従って、摺動部材１３に外力が加えられて、摺動部材１３がレール部材９と摺動部材１３との間に形成された隙間領域（５ｃｍ〜１０ｃｍ）を移動する場合であっても、外力が解放されると摺動部材１３は直ちに左右付勢手段４の付勢力により、釣り合いの位置に戻る。なお、左右案内手段３による腰掛け部２の移動では、脚部材７の軸がずれることはない。
【００４７】
また、左右案内手段３及び左右付勢手段４は、前後案内手段８及び前方付勢手段２３と直交する配置である。そのため、左右案内手段３と前後案内手段８は移動する方向が異なり、さらに左右付勢手段４と前方付勢手段２３は、それぞれ付勢する方向が異なる。即ち、左右案内手段３は遊技機２８に対して左右方向の外力に作用し、前後案内手段８は遊技機２８に対して後方の外力に作用し、左右付勢手段４は摺動部材１３を遊技機２８に対して左右方向に付勢し、前方付勢手段２３は摺動部材１６を遊技機２８に対して前方向に付勢する。
【００４８】
左右案内手段３は、上部側からベース部材１２に覆われており、左右案内手段３の摺動部材１３とベース部材１２との間に挟まるように上下付勢手段３４が挟持されている。なお、前記したように、上下付勢手段３４は、リング状の溝が形成されたバネ座３３に保持されている。また、ベース部材１２のバネ座３３より外側の位置には、凸型ブロック１５が配され、当該凸型ブロック１５と対向する位置に配されたフランジ部３６（左右移動手段３と上部側脚部１８を接続するもの）に凹型ブロック２２が配されている。即ち、ベース部材１２に上部から荷重が加わっていないときは、ベース部材１２と左右案内手段３は、上下付勢手段３４により一定の間隔が維持されており、凸型ブロック１５と凹型ブロック２２が離反した状態にある。ところが、ベース部材１２の上部から荷重が加われば、上下付勢手段３４が圧縮され、ベース部材１２と左右案内手段３が略当接状態となると共に、凸型ブロック１５と凹型ブロック２２の距離がなくなり、調心されて係合状態となる。換言すると、左右案内手段３において、移動側の摺動部材１３と固定側のレール部材９が固定手段５により一体化される。即ち、凸型ブロック１５と凹型ブロック２２が調心されて係合状態となることで、左右案内手段３の移動が阻止される。
【００４９】
そして、ベース部材１２の全体を覆うようにカバー部材１０が配され、背もたれ部６は、遊技者が腰掛け部２に腰掛けて遊技機２８を正面にしてもたれることができる位置に配されている。また、図１，２に示す様に、背もたれ部６は、基材１４を介して腰掛け部２と一体的に接続されている。即ち、背もたれ部６に加わった外力は、基材１４を通じて腰掛け部２に伝導される。なお、腰掛け部２のカバー部材１０とベース部材１２の間及び背もたれ部６のカバー部材１０と基材１４の間には、クッション部材１１が充填されている。
【００５０】
従って、本発明の第１実施形態の遊技場用椅子１は、遊技機２８に対して左右方向及び前後方向に移動させることができる。即ち、左右案内手段３の摺動部材１３は、摺動部材１３とレール部材９との前記した隙間領域（５ｃｍ〜１０ｃｍ程度）内でのみ移動させることができるため、左右に移動しすぎて隣接の遊技者に迷惑を掛ける心配がない。
一方、前後案内手段８により、上部側脚部１８と下部側脚部１９は、相対的な移動が可能である。具体的には、遊技場の床面に対して固定された下部側脚部１９に対して上部側脚部１８を含んだ腰掛け部２が前後方向に移動する。これにより、腰掛け部２を左右方向に移動させず座席を離れることが可能となる。
【００５１】
また、本実施形態では、左右案内手段３は左右付勢手段４が備えられ、前後案内手段８は前方付勢手段２３が備えられ、双方の案内手段は予め付勢されている。
従って、腰掛け部２を遊技機２８に対して後方向又は左右方向のいずれの方向に移動させても、外力を解放させた状態においては、腰掛け部２は遊技機２８の真正面に位置させることができる。
【００５２】
次に本発明の第１実施形態に係る遊技場用椅子１の使用時の動きについて、図面を用いてより具体的に説明する。
【００５３】
第１実施形態の遊技場用椅子１は、図６（ａ）に示す様に、空席時には、腰掛け部２が遊技機２８の真正面に位置している。即ち、図２に示す様に、左右移動手段３におけるレール部９が摺動部材１３の略中央に位置している。そして、遊技者が座席に着く際に、図６（ｂ）に示す様に、遊技場用椅子１の背もたれ部６の右側から左方向に外力ｆを加えると、図７に示す様に、脚部材７に対して相対的に腰掛け部２が外力ｆ方向に移動する。即ち、背もたれ部６と一体的に接続されている、腰掛け部２が左右移動手段３の摺動部材１３の移動に伴って移動する。これにより、隣接する遊技場用椅子１の腰掛け部同士の間隔を広げることができるため、体格が良い遊技者であっても、窮屈感を抱くことなく容易に遊技場用椅子１に着席することができる。なお、このとき上部側脚部１８と下部側脚部１９は、同一軸上に存在する。
【００５４】
そして、遊技者が遊技機２８と遊技場用椅子１との間に位置すると、外力ｆが解放されるため、当該遊技場用椅子１は、左右付勢手段４の付勢力により、遊技機２８の真正面に戻る（図６（ａ））。これにより、遊技者が無意識に遊技機２８の真正面で腰掛けたとしても、遊技場用椅子１に座り損ねて背中から転倒することがない。即ち、本実施形態の遊技場用椅子１は、遊技者が着席の際（外力ｆが加わっていない状態）には常に遊技機２８の真正面に位置するため、先に説明した従来技術のように遊技者が着席しながら左右方向に移動するという動作が起こりえないため、違和感を抱くことがない。
【００５５】
また、本実施形態の遊技場用椅子１は、図８に示す様に、遊技者が着席して上方からの荷重が生じると、腰掛け部２が下方へ沈む。即ち、ベース部材１２の天面板２５と、左右案内手段３の摺動部材１３との間に配された付勢手段３４が縮められて、当該摺動部材１３とベース部材１２とが略当接状態となる。このとき、ベース部材１２の凸型ブロック１５と脚部材７の凹型ブロック２２の距離がなくなり、調心されて係合する。これにより、左右案内手段３において、レール部材９に対する摺動部材１３の移動が阻止されるため、遊技者が腰掛け部２に着席した際には、遊技機２８に対して腰掛け部２が左右方向に移動することがない。即ち、本実施形態の遊技場用椅子１によれば、隣接して着席している遊技者に対して圧迫感を与えたり、迷惑を掛けることがない。
【００５６】
さらに、本実施形態の遊技場用椅子１は、図９（ｂ）に示す様に、背もたれ部６に後ろ方向の外力ｆを加えると、上部側脚部１８を含む腰掛け部２が下部側脚部１９に対して後方に移動する。即ち、図１０に示す様に、後ろ向きの外力ｆは摺動部材１６に伝導され、前方付勢部材２３が縮められた状態である。これにより、遊技者は、遊技場用椅子１に着席後、遊技機２８と当該遊技場用椅子１との間隔を拡げることが容易にできるため、容易に座席を離れることができる。即ち、本実施形態の遊技場用椅子１は、席を離れる場合であっても、腰掛け部２を左右方向に移動させる必要がないため、隣接している遊技者に対して迷惑を掛けることがない。
そして、後ろ方向の外力ｆが解放されると、図９（ａ）に示す様に、再び前後案内手段８の摺動部材１６は、自然停止位置に戻るため、遊技場の通路の邪魔になることがない。
【００５７】
従って、上記した本実施形態の遊技場用椅子１は、遊技機２８に対して左右方向及び後方向に移動させることが可能であるため、着席する際に、隣接して遊技している遊技者に圧迫感を与えたり、迷惑を掛けることがない。さらに、本実施形態では、着席して腰掛け部２の上方から荷重が掛かった際に、固定手段３（凸型ブロック１５と凹型ブロック２２）により、腰掛け部２の左右方向の移動が固定されるため、遊技時に遊技機２８の真正面からずれることがない。即ち、遊技時であっても、隣接する遊技者に圧迫感を与えたり、迷惑を掛ける心配がない。
また、本実施形態の遊技場用椅子１は、移動方向に反発する左右付勢手段４及び前方付勢手段２３が設けられているため、外力が解放されると、常に遊技機２８の真正面に位置する。これにより、遊技者が無意識に遊技機２８の真正面で腰を掛けても背中から転倒する危険がない。さらに、遊技場用椅子１に腰掛けた遊技者の隣接する席が空席の場合であっても、当該空席の遊技場用椅子１は遊技機２８の真正面に位置しているため、当該遊技者が隣接する座席から圧迫感を抱くことがない。
【００５８】
上記第１実施形態の遊技場用椅子１では、腰掛け部２の内部に左右案内手段３を配置させた構成を示したが、本発明はこの構成に限られるわけではなく、脚部材が左右案内手段を備えた遊技場用椅子４１であっても構わない。なお、以下の説明において、説明の重複を避けるために、上記した同じ部材には同じ番号を付する。
【００５９】
即ち、図１１に示す様に、第２実施形態の遊技場用椅子４１は、脚部材４７の下部側脚部４９に左右案内手段４３を備えた構成である。即ち、遊技場用椅子４１は、腰掛け部４２と、背もたれ部（第１実施形態と同様であるため図示しない）と、前後案内手段８と、左右案内手段４３を備えた脚部材４７で構成されている。
【００６０】
具体的に説明すると、腰掛け部４２におけるベース部材４４の内部に、上部側脚部４８に備わったフランジ部５０が配されて、フランジ部５０とベース部材４４がボルト等の固定手段により一体的に固定されている。即ち、本実施形態の遊技場用椅子４１は、ベース部材４４とフランジ部５０は相対的に移動することはない。また、第１実施形態と同様、ベース部材４４は、クッション部材１１とカバー部材１０により覆われ、腰掛け部４２に対して直行するように背もたれ部（図示しない）が配されている。
【００６１】
上部側脚部４８の下端部は、フランジ部３７を介して前後案内手段８の摺動部材１６に固定されている。即ち、上部側脚部４８より上部に位置する部材は、摺動部材１６の移動に伴って移動する。即ち、本実施形態の遊技場用椅子４１は、第１実施形態と同様、前後移動手段８によって、遊技機２８に対して前後方向に移動可能である。即ち、図９（ｂ）に示す様に、後ろ方向の外力ｆにより腰掛け部４２が後ろ方向に移動し、外力ｆを解放すると、前後移動手段８の摺動部材１７が自然停止位置で停止する。
【００６２】
一方、下部側脚部４９は、一方の端部が前後案内手段８のレール部材１７に固定され、他方の端部が遊技場の床面に固定されている。即ち、本実施形態の遊技場用椅子４１は、第１実施形態と同様、前後案内手段８により、下部側脚部４９と腰掛け部４２を含む上部側脚部３８が相対的に移動する。
【００６３】
本実施形態の下部側脚部４９は、図１２（ａ）に示す様に、複数の円柱体５１により形成されており、当該円柱体５１はそれぞれ左右案内手段４３を備えている。以下、本実施形態に採用された下部側脚部４９について説明する。
【００６４】
下部側脚部４９を形成する円柱体５１は、端部円柱体５１ａ，５１ｂと中間円柱体５１ｃがあり、端部円柱体５１ａ，５１ｂが各１つずつと複数の中間円柱体５１ｃを直列状に配置することで、左右の移動距離が調節される。即ち、円柱体５１は、少なくとも摺動子５２（左右案内手段４３）あるいは摺動溝５３（左右案内手段４３）を有したものである。下部側脚部４９は、円柱体５１が、摺動溝５３の領域の範囲内で、下方に隣接する別の円柱体５１の摺動子５２の制限を受けて移動するもので、隣接する円柱体５１同士の中心軸をずらして腰掛け部４２を左右方向に移動させるものである。
【００６５】
具体的には、図１１に示す様に、端部円柱体５１ａは、前後案内手段８に固定されるもので、図１２，１３に示す様に、底面を上方に向かって直方体状にくり抜いた摺動溝５３と、当該摺動溝５３を形成する対向する１対の内側面５７に形成されたリング状の溝が形成されたバネ座５４と、摺動溝５３よりも外側に位置したリング状の溝が形成されたバネ座６０を有している。さらに、図１２に示す様に、摺動溝５３を形成する天井面５６には、さらに上方に向かってくり抜いた凹部５８（固定手段４６）が設けられている。凹部５８は、断面形状が円状であり、その深さは半円よりも小さくされている。
【００６６】
また、図１４に示す様に、端部円柱体５１ａの下部に配される中間円柱体５１ｃは、天面においては、略中心に設けられた摺動子５２と、摺動子５２よりも外側の天面に設けられた端部円柱体５１ａと同じリング状の溝が形成されたバネ座６０が設けられ、底面側においては、端部円柱体５１ａと同様の摺動溝５３及びバネ座６０が設けられている。
摺動子５２は、略直方体で、先端の断面形状が円形状の凸部６１（固定手段４６）が設けられ、前記した凹部５８に係合することで、円柱体５１の動作が阻止される。即ち、これにより、腰掛け部２の左右方向の移動が阻止される。なお、摺動溝５３の移動方向（遊技機２８に対して左右方向）に直交する摺動子５２の長さ（幅）は、摺動溝５３の内側面に接する程度の長さで、摺動子５２の高さは、端部円柱体５１ａの底面と中間円柱体５１ｃの天面が近接した状態で、凸部６１の天面が凹部５８の天井面に達する程度の長さである。
【００６７】
端部円柱体５１ｂは、遊技場の床面側に位置するもので、本実施形態では最下部に配された中間円柱体５１ｃよりも下部に配置される。端部円柱体５１ｂは、端部円柱体５１ａ及び中間円柱体５１ｃよりも高さが高い。また、端部円柱体５１ｂの天面には、中間円柱体５１ｃと同様の摺動子５２及びバネ座６０が設けられている。
【００６８】
そして、下部側脚部４９は、端部円柱体５１ａの摺動溝５３に中間円柱体５１ｃの摺動子５２が配され、２つの付勢部材４５で摺動子５２を挟持するように付勢手段４５の一方の端部がバネ座５４に保持されている。即ち、付勢手段４５の他方の端部は、摺動子５２側に配されている。なお、付勢手段４５の他方の端部には、当接部材５５が取り付けられているため、付勢手段４５とレール部５２は面接触となり円柱体５１の動作がスムーズとなる。
【００６９】
端部円柱体５１ａの底面と中間円柱体５１ｃの天面のバネ座６０に上下付勢手段５９が保持されている。即ち、当該上下付勢手段５９の一方の端部は、端部円柱体５１ａに保持され、他方の端部は、中間円柱体５１ｃに保持されている。これにより、端部円柱体５１ａの底面と中間円柱体５１ｃの天面の間に空間が形成されると共に、凹部５８と凸部６１との間にも空間が形成される。従って、腰掛け部４２の上方から荷重が加わらない限り、図１２（ａ）の状態を維持するため、端部円柱体５１ａは中間円柱体５１ｃに対して左右方向に移動することが可能である。換言すれば、腰掛け部４２の上方から荷重が加わると、図１２（ｃ）に示す様に、凹部５８と凸部６１が係合して左右方向の移動が阻止される。
【００７０】
中間円柱体５１ｃ同士及び中間円柱体５１ｃと端部円柱体５１ｂの接続関係についても、前記した関係と同様である。即ち、本実施形態に採用された下部側脚部４９は、隣接する円柱体５１同士の上部の円柱体５１が下部の円柱体５１に対して相対的に左右方向に移動できる。
従って、背もたれ部６もしくは腰掛け部４２に左方向の外力が加えられると、図１２（ｂ）に示す様に、床面側の端部円柱体５１ｂを基準に上部の中間円柱体５１ｃ及び端部円柱体５１ａが一定長さずつ左方向にずれた位置関係となる。
【００７１】
より具体的に説明すると、隣接する１組の円柱体５１同士のずれ幅ｔとすると、下部側脚部４９全体では、最大ずれ幅がｔ＊４（円柱体の個数−１）となる。即ち、端部円柱体５１ａは、端部円柱体５１ｂに対してずれ幅が最大でｔ＊４となり、これに伴い腰掛け部４２の遊技機２８の真正面からのずれ幅も、最大でｔ＊４となる。また、ずれ幅ｔを一定と仮定すると、円柱体５１の個数に比例するため、最大ずれ幅を大きくしたい場合は、円柱体５１の個数を増やす方法が提案され、下部側脚部４９の高さを一定と仮定すると、円柱体５１同士のずれ幅ｔを大きくすることが提案される。
【００７２】
従って、本実施形態の遊技場用椅子４１も、第１実施形態と同様、遊技機２８に対して左右方向及び後方向に移動させることが可能であるため、着席する際に、隣接して遊技している遊技者に圧迫感を与えたり、迷惑を掛けることがない。さらに、本実施形態においても、着席して腰掛け部４２の上方から荷重が掛かった際に、固定手段４６（凹部５８と凸部６１）により、腰掛け部４２の左右方向の移動が固定されるため、遊技時に遊技機２８の真正面からずれることがない。即ち、遊技時であっても、隣接する遊技者に圧迫感を与えたり、迷惑を掛ける心配がない。
また、本実施形態の遊技場用椅子４１は、移動方向に反発する付勢手段２３，４５が設けられているため、外力が解放されると、常に遊技機２８の真正面に位置する。これにより、遊技者が無意識に遊技機２８の真正面で腰を掛けても背中から転倒する危険がない。さらに、遊技場用椅子４１に腰掛けた遊技者の隣接する席が空席の場合であっても、当該空席の遊技場用椅子１は遊技機２８の真正面に位置しているため、当該遊技者が圧迫感を抱くことがない
【００７３】
上記した実施形態では、左右案内手段３を遊技場の床面より上部に位置する構成を示したが、本発明はこれに限定されるわけではない。即ち、図１５に示す様に、床面より下部に左右案内手段３を配置させた遊技場用椅子（図示しない）であっても構わない。具体的には、図１６に示す様に、左右案内手段３のレール部材９と摺動部材１３の略中心に凹部（固定手段７０）７１を設け、下部側脚部１９の床面側端部に上下付勢手段６３を配置し、当該上下付勢手段６３の中心を挿通するように凸部（固定手段７０）７２を配置させる。即ち、上部からの荷重により上下付勢手段６３が圧縮され、下部側脚部１９が沈む。そして、これに伴い凸部７２が沈み、レール部材９と摺動部材１３の凹部７１に係合することで、左右案内手段３の移動が阻止される。また、左右付勢手段４においても、上記実施形態と同様の配置とする。即ち、本構成においても、上記実施形態同様の作用効果を得ることができる。
【００７４】
上記実施形態では、左右案内手段３，４３と前後案内手段８の双方を配置させた構成を示したが、本発明はこれに限定されるわけではなく、左右移動手段３，４３のみを備えた構成であっても構わない。
【００７５】
上記実施形態では、前後案内手段８に備わった前方付勢手段２３が遊技機２８に対して前方のみに付勢した構成を示したが、本発明はこれに限定されるわけではなく、遊技機２８に対して前後方向から付勢される前後付勢手段であっても構わない。
【００７６】
上記実施形態では、左右案内手段３によって、遊技機２８に対して左右に移動できる構成を示したが、本発明はこれに限定されるわけではなく、左又は右方向のいずれか一方のみに移動する構成であっても構わない。その場合、左右付勢手段４も左又は右方向のいずれか一方に付勢されていればよい。
【符号の説明】
【００７７】
１，４１    遊技場用椅子
２，４２    腰掛け部
３，４３    左右案内手段
４    左右付勢手段（第一付勢手段）
５，４６，７０    固定手段
６    背もたれ部
８    前後案内手段
９    レール部材
１３    摺動部材
１５    凸型ブロック
２２    凹型ブロック
２３    前後付勢手段（第二付勢手段）
３４，５９，６３    上下付勢手段
５２    摺動子
５３    摺動溝
５８，７１    凹部
６１，７２    凸部
【図１】
2010273708.tif 000003
【図２】
2010273708.tif 000004
【図３】
2010273708.tif 000005
【図４】
2010273708.tif 000006
【図５】
2010273708.tif 000007
【図６】
2010273708.tif 000008
【図７】
2010273708.tif 000009
【図８】
2010273708.tif 000010
【図９】
2010273708.tif 000011
【図１０】
2010273708.tif 000012
【図１１】
2010273708.tif 000013
【図１２】
2010273708.tif 000014
【図１３】
2010273708.tif 000015
【図１４】
2010273708.tif 000016
【図１５】
2010273708.tif 000017
【図１６】
2010273708.tif 000018